(57)【特許請求の範囲】
【請求項１】
床面水平板と床面垂直板と書台垂直板と平面板と書台板を略コの字型に組合せた読書台において、前記床面水平板と床面垂直板をL字型に一体形成し、床面垂直板に対し書台垂直板を上下方向のみにスライド可能とし、前記床面垂直板に対し書台垂直板の上下方向の位置を固定する固定機構を設け、前記書台垂直板と一体形成した平面板と書台板の接合部に回転軸機構を設け、前記書台板を前記平面板の上で水平に保持し、前記書台板は透明樹脂材で中央に切り欠穴を設けて構成し、前記書台板の両側面付近の下面に補強部材を結合し、前記補強部材の下面の一部を前記平面板の上面に当接させることにより、前記書台板の下方向への曲げ強度を強化するようにしたことを特徴とする安楽読書台。
【請求項２】
前記請求項１において、前記書台板の下面に結合する補強部材は金属板で構成し、表面に黒色めっき又は黒色塗装を行い、下面からの光が前記補強部材に反射して読者の目に入らないようにしたことを特徴とする安楽読書台。
【請求項３】
前記請求項１において、前記書台板の両側面をガイド面として、前後方向に移動可能なスライド板を前記書台板の上側に装着し、前記書台板の中央に設けた切り欠穴の一部を覆うよう調整可能とし、前記書台板の上に載せる書物の上下端面が前記切り欠穴端面と前記スライド板の端面を橋渡しすることで、前記書物が前記切り欠穴から落下することを防止するようにしたことを特徴とする安楽読書台。
【請求項４】
前記請求項３において、前記書台板の上側に設けた前記スライド板は一定幅の透明樹脂材で構成し、前記書台板の両側面をコ字型に囲むガイド部を設け、前記スライド板が前記書台板の上を前後方向に移動可能にして、前記切り欠穴の前後方向幅を見かけ上可変にしたことを特徴とする安楽読書台。
【発明の詳細な説明】
【技術分野】
【０００１】
この発明は、書台板の上に書物を載せ、書物を手で支えること無しに、寝転んだ安楽姿勢で、書台板の下側から書物を読む道具に関するものある。  
【背景技術】
【０００２】
従来のものは、床面水平板と床面垂直板と平面板と書台板をコの字型に組み合わせ、書台板の上に書物を伏せて乗せ、下側から寝転んで見上げる姿勢で読書するものであるが、書物の重量が重いと、書台板が下側に撓んで曲がり、書物が落下する不具合が有った。更に書台板の中央に設けた切欠き穴のサイズがA５判用であると、A６判の書物を載せると、前記切欠き穴からA６判の書物が落下する不具合が有った。
【先行技術文献】
【特許文献】
【０００３】
【特許文献１】特許第４６３０９６５号公報
【発明の概要】
【０００４】
本発明は上記不具合を改良するためになされたもので、その目的は、前記書台板の書物の重力に対する曲げ強度を強化することと、前記切欠き穴の前後方向サイズの見かけ上のサイズをスライド板を用いて可変させるように改良して、本のサイズの変化に対応可能にしたことを特徴とする安楽読書台を提供することにある。
【発明が解決しようとする課題】
【０００５】
(1)書台板の上に、重い書物を載せると書台板が撓んで傾き、本がずれて落下する危険を防止する。
(2)書台板に設けた切欠き穴の前後方向サイズが、書物の上下方向サイズより大きいと書物が切欠き穴から落下する危険を防止する。
【課題を解決するための手段】
【０００６】
(1)書台板の両側付近の下面に補強部材を取り付け、平面板で前記補強部材を支えて、書台板の曲げ強度を強化する。
(2) 書台板に設けた切欠き穴の前後端いずれかに、書台板の両側面をガイドにして前後方向にスライド移動するスライド板を設け、必要に応じて、前記スライド板を前記切欠き穴の一部を塞ぐ様に移動させ、前記切欠き穴の前後方向の幅を可変させ、書物が落下しないように調節する機能を追加する。
【発明の効果】
【０００７】
(1)通常のA5判の本は300gから400g程度であるが、分厚い本や辞書等は800g以上のものがあり、透明な樹脂材の書台板では支えきれず曲ってしまい、本が落下する。対策として書台板の両側面に金属板等の補強部材を装着することで1Kg程度まで曲がらずに対応可能になる。
(2)書台板に設けた切欠き穴のサイズは、通常A5判の文書スペースをカバーする大きさに設定しているが、A6判サイズの本は小さく、前記A５判の切欠き穴から落下してしまう。その対策として書台板の両側面をガイドとして前後方向にスライドする透明なスライド板を設け、前記切欠き穴の一部を塞ぐように移動調整すれば、A6判の本も落下せず保持できる。
【図面の簡単な説明】
【０００８】
【図１】本発明の実施例の斜視図
【図２】本発明の実施例の分解斜視図
【図３】本発明の実施例の書台板を跳ね上げた斜視図
【図４】本発明の実施例の使用状態を示す斜視図
【発明を実施するための形態】
【０００９】
以下に実施例を図1から図4を参照して説明する。
図1は本案の組み立て完成状態図で、図2は図1の分解斜視図で、図3は図1の4書台板を3書台垂直板の上方に跳ね上げた状態を示す。図4は読者が枕を使って読書している状態で、本のサイズをA6判を用いスライド板で支えた一例を示す。
1床面水平版と2床面垂直板はL字形に曲げて一体的に構成し、2床面垂直板には7ガイド溝が２本に垂直に設けてある、3書台垂直板に前記7ガイド溝とピッチを合わせて13雄螺子穴が設けられ、8雄螺子の頭部首下の四角が嵌りあう四角形にしてある、3書台垂直板の上端にはL字形に曲げた3a平面板が設けられ、10蝶番取付用の11A蝶番取付穴Aが設けてあり、11蝶番螺子Aによって10蝶板が組みつけられる。4書台板は透明樹脂部材で作られ、中央部には本の文章部分の大きさ煮に相当するサイズの6切り欠穴が設けられ、反射防止と透明部材の透光損失防止がなされている。前端部には10蝶番を取付用の12A蝶番取付穴B が設けてあり１２蝶番螺子Bによって10蝶番が組みつけられる。4書台板の両側付近の下面には金属板材に黒色めっき又は黒色塗装を施した４a補強部材が螺子ねじによって結合され、４a補強部材の下面の一部は3a平面板の上面と当接し、４書台板の上に載せられる書物の重量によって４書台板が下側に撓んで曲がり、書物が落下することを防止する補強の役目をなしている。尚、前記４a補強部材の黒色めっき又は黒色塗装は、下側から入光した光が反射して読者の目に入ることを防止するためである。また、４書台板の上面に一定幅の横長の14スライド板が、4書台板の両側面をガイド面として、14bコ字型部の14aガイド部が構成され、4書台板の上面を前後方向にスライド可能にしている。8雄螺子は3書台垂直板側から通して2床面垂直板の裏側で9蝶ナットによって締め付けられる。完成した状態が図1で、5書物を4書台板の上に載せて書物の文章部分を6切り欠穴に合わせて下から読書が行われる。
尚、この6切り欠穴は読者が下から指を使って本を微動させる時にも便利である。また、前記6切り欠穴のサイズは一般的にA5判用に合わせてあるが、A6判の本を読むときは前記の6切り欠穴からA6判の本が落下するので、前記14スライド板を移動させて、6切り欠穴の上端又は下端部にラップさせて6切り欠穴の前後方向幅を見かけ上小さくして、A6判の本の上下端が6切り欠穴端面と14スライド板端面の間に橋渡しする形で固定し6切り欠穴からA6判の本が落下することを防止できる。
尚、前記補強部材を金属板と結合する事例を示したが、書台板をアクリル樹脂等で整形する場合は、台書板と補強部材を一体整形することも本案の権利範囲に含まれる。
図4はその使用状態を示したもので、本はA6判を用い、スライド板を切り欠穴の後端部を覆う位置に移動してA6判が落下しないようにした事例である。
更に、この事例では読者が布団無しに読書しているが、1床面水平板と枕の間に布団を入れても良い。図3は4書台板を3書台垂直板の上に跳ね上げた状態図で、読者が寝起きする時便利で、収納時にも用いる。
4書台板の高さを調節するには9蝶ナットを緩めて、4書台板を目の焦点位置に合わせて9蝶ナットを締め付ける。尚、4書台板の回転軸は10蝶番を用いているが、3書台垂直板と4書台板の側面の一方に軸受穴を設け、他方に回転軸を設けて回転軸機構としても良い。    
【産業上の利用可能性】
【００１０】
近年、健康な高齢者の増加により読書熱が高まっており、疲れやすい高齢者の読書を安楽姿勢で安全に行う器具が期待されている。更に、怪我等で入院し、または自宅で、布団やベッド等で寝ている人にも幅広く使い易い読書器具が期待されている。その場合、本のサイズ差に応じてスライド板を移動し、本が切り欠穴から落下しないように工夫されている。更に分厚い辞書等で重量が大きくても補強板で強化されているので書台板の曲がりによる本の落下も防止している。
【符号の説明】
【００１１】
1床面水平板、2床面垂直板、3書台垂直板、３a平面板、4書台板、４a補強部材、5書物、6切り欠穴、7ガイド溝、8雄螺子、9蝶ナット、10蝶番、11蝶番螺子A、11A蝶番取付穴A 、12蝶番螺子B、11A蝶番取付穴A 、13雄螺子穴、14スライド板、14aガイド部、14bコ字型部
【要約】      （修正有）【課題】書台板の書物に対する曲げ強度を強化することと、書台板の中央に設けた切欠き穴の前後サイズをスライド板を用いて可変させ、本のサイズの変化に対応可能にする安楽読書台を提供する。【解決手段】書台板４の両側下面に補強部材４ａを取り付け、平面板３ａで補強部材４ａを支えて、書台板４の曲げ強度を強化し、書台板４の両側面をガイドにして前後方向にスライド移動するスライド板１４を設け、必要に応じて、スライド板１４を切欠き穴６の一部を塞ぐ様に移動させ、切欠き穴６の前後方向の幅を見かけ上で可変させ、書物が切欠き穴６から落下しないように調節する機能を追加する。【選択図】図１【図１】
0005636534.tif 000002
【図２】
0005636534.tif 000003
【図３】
0005636534.tif 000004
【図４】
0005636534.tif 000005